(57)【特許請求の範囲】
【請求項１】
第１のＩＥＥＥ８０２．１１デバイスであって、
第２のＩＥＥＥ８０２．１１デバイスからのアソシエーション応答フレームまたは再アソシエーション応答フレームにおいて、サブチャネル選択性送信動作が現在使用されているという表示を受信し、サブチャネル選択性送信動作が現在使用されているという前記表示は、前記アソシエーション応答フレームまたは前記再アソシエーション応答フレームの要素において提供され、
チャネルビットマップを受信し、
前記第２のＩＥＥＥ８０２．１１デバイスからの短ビーコンにおいて、サブチャネル選択性送信期間の間に前記第１のＩＥＥＥ８０２．１１デバイスによる使用のために利用可能である主チャネルの表示を受信し、前記サブチャネル選択性送信期間は前記短ビーコンの後の間隔であり、および前記サブチャネル選択性送信期間の間に利用可能である前記主チャネルの前記表示は前記チャネルビットマップ内のチャネルを識別し、
前記サブチャネル選択性送信期間の間に、前記主チャネルにアクセスする
ように構成されたプロセッサを備えたことを特徴とする第１のＩＥＥＥ８０２．１１デバイス。
【請求項２】
前記プロセッサは、サウンディングスケジュールを受信するようにさらに構成されたことを特徴とする請求項１に記載の第１のＩＥＥＥ８０２．１１デバイス。
【請求項３】
前記プロセッサは、前記受信されたサウンディングスケジュールに基づいて、サウンディングフレームに対してチャネルを監視するようにさらに構成されたことを特徴とする請求項２に記載の第１のＩＥＥＥ８０２．１１デバイス。
【請求項４】
前記チャネルは、前記第１のＩＥＥＥ８０２．１１デバイスおよび前記第２のＩＥＥＥ８０２．１１デバイスを含む基本サービスセットに関連付けられていることを特徴とする請求項１に記載の第１のＩＥＥＥ８０２．１１デバイス。
【請求項５】
前記第１のＩＥＥＥ８０２．１１デバイスは、ＩＥＥＥ８０２．１１ステーションであることを特徴とする請求項１に記載の第１のＩＥＥＥ８０２．１１デバイス。
【請求項６】
前記第２のＩＥＥＥ８０２．１１デバイスは、ＩＥＥＥ８０２．１１アクセスポイントであることを特徴とする請求項２に記載の第１のＩＥＥＥ８０２．１１デバイス。
【請求項７】
第１のＩＥＥＥ８０２．１１デバイスに関連付けられた方法であって、
第２のＩＥＥＥ８０２．１１デバイスからのアソシエーション応答フレームまたは再アソシエーション応答フレームにおいて、サブチャネル選択性送信動作が現在使用されているという表示を受信するステップであって、サブチャネル選択性送信動作が現在使用されているという前記表示は、前記アソシエーション応答フレームまたは前記再アソシエーション応答フレームの要素において提供される、ステップと、
チャネルビットマップを受信するステップと、
前記第２のＩＥＥＥ８０２．１１デバイスからの短ビーコンにおいて、サブチャネル選択性送信期間の間に前記第１のＩＥＥＥ８０２．１１デバイスによる使用のために利用可能である主チャネルの表示を受信するステップであって、前記サブチャネル選択性送信期間は前記短ビーコンの後の間隔であり、および前記サブチャネル選択性送信期間の間に利用可能である前記主チャネルの前記表示は前記チャネルビットマップ内のチャネルを識別する、ステップと、
前記サブチャネル選択性送信期間の間に、前記主チャネルにアクセスするステップと
を備えたことを特徴とする方法。
【請求項８】
サウンディングスケジュールを受信するステップをさらに備えたことを特徴とする請求項７に記載の方法。
【請求項９】
前記受信されたサウンディングスケジュールに基づいて、サウンディングフレームに対してチャネルを監視するステップをさらに備えたことを特徴とする請求項８に記載の方法。
【請求項１０】
前記チャネルは、前記第１のＩＥＥＥ８０２．１１デバイスおよび前記第２のＩＥＥＥ８０２．１１デバイスを含む基本サービスセットに関連付けられていることを特徴とする請求項７に記載の方法。
【請求項１１】
前記第１のＩＥＥＥ８０２．１１デバイスは、ＩＥＥＥ８０２．１１ステーションであることを特徴とする請求項７に記載の方法。
【請求項１２】
前記第２のＩＥＥＥ８０２．１１デバイスは、ＩＥＥＥ８０２．１１アクセスポイントであることを特徴とする請求項８に記載の方法。
【発明の詳細な説明】
【技術分野】
【０００１】
本発明は、ＷＩＦＩ（登録商標）チャネル選択およびサブチャネル選択性送信に関する。
【背景技術】
【０００２】
ワイヤレスネットワーク（例えば、ＩＥＥＥ８０２．１１ａｃベースのネットワーク）は、１つまたは複数の動作チャネルを用いてアクセスポイント（ＡＰ）を基本サービスセット（ＢＳＳ）内の１つまたは複数の基地局（ＳＴＡ）に提供できる。ＡＰは、１つまたは複数のチャネルが動作に使用されることを示すことができる。ＡＰによって選択されるチャネルは、ＳＡＴの少なくとも一部に使用されなければならないチャネルでない恐れがある（例えば、１つまたは複数のＳＴＡに最適なチャネルでない恐れがある）。例えば、あるＳＴＡにとって最適であるチャネルは、同じＢＳＳ内の他のＳＴＡにとって最適でない場合もある。そして、例えば、ＳＴＡの異なるセットは、異なるチャネルをモニタリングしてアクセスを試行することもあり、同じＢＳＳ内の他のＳＴＡによるチャネルアクセスの試行または現行の送信を認識できない恐れがある。
【発明の概要】
【０００３】
サブチャネル選択性送信を実装するシステム、方法、および手段が提供される。第１の信号は、主チャネルが第１の時間帯と関連付けられた第１の周波数帯域と関連付けられることを示しながら、アクセスポイント（ＡＰ）からＩＥＥＥ８０２．１１基地局（ＳＴＡ）によって受信され得る。副チャネルと関連付けられたチャネル状態が主チャネルと関連付けられたチャネル状態より良いということを判定することができる。第１の周波数と関連付けられた主チャネルは、予約され得る。主チャネルの予約(reserving)は、第１の時間帯中に主チャネルを占有するまたは予約することを含む。主チャネルが占有されているまたは予約されている間に、データを、副チャネルを介して送ることができる。
【０００４】
サブチャネル選択性送信（ＳＳＴ）能力は、ＡＰ、またはＳＴＡによって、またはその両方によって示され得る。主チャネルおよび／またはアクセスチャネルは、暗黙的にまたは明示的に表示され得る。ＳＴＡおよびＡＰは、１つのチャネル上で、または複数のチャネル上でネットワークアロケーションベクトル（ＮＡＶ）を設定することによって媒体を予約できる。ＡＰは、送信の間隔を指定できる。
【図面の簡単な説明】
【０００５】
【図１Ａ】例示的な通信システムを示す図である。
【図１Ｂ】例示的なワイヤレス送信／受信ユニット（ＷＴＲＵ）を示す図である。
【図１Ｃ】例示的なワイヤレスローカルエリアネットワーク（ＷＬＡＮ）デバイスを示す図である。
【図２】例示的なＷＬＡＮシステムを示す図である。
【図３】ＩＥＥＥ８０２．１１ａｃネットワークにおけるオーバーラッピングベースステーションサブシステム（ＯＢＳＳ）のチャネル配列の例を示す図である。
【図４】サブチャネル選択性送信（ＳＳＴ）要素の（例えば、ＩＥＥＥ８０２．１１ａｈで定義されるような）例示的なフォーマットを示す図である。
【図５】ＳＳＴ要素に含まれるチャネルアクティビティスケジュールサブフィールドの例示的なフォーマットを示す図である。
【図６】主および／またはアクセスチャネル表示情報要素（ＩＥ）の例示的な設計を示す図である。
【図７】チャネルアクティビティスケジュールサブフィールドの例示的な設計を示す図である。
【発明を実施するための形態】
【０００６】
図示された実施形態の詳細な説明をさまざまな図を参照して説明する。この説明は、可能な実装の詳細な例を提供するが、その詳細は、例示的なものであり、決して本出願の範囲を限定することを目的としないことに留意されたい。さらに、図面は、例示的であることを意図する１つまたは複数のメッセージ図を図示してよい（メッセージは、変更、再順序付け、または適切な場合に省略されてもよい）。
【０００７】
図１Ａは、開示された１つまたは複数の特徴が実装され得る例示的な通信システム１００の図である。例えば、ワイヤレスネットワーク（例えば、通信システム１００の１つまたは複数のコンポーネントを備えるワイヤレスネットワーク）は、ワイヤレスネットワークを超えて（例えば、ワイヤレスネットワークと関連しているウォールドガーデンを超えて）拡張するベアラがＱｏＳ割り当て特性となるように構成され得る。
【０００８】
通信システム１００は、音声、データ、ビデオ、メッセージング、ブロードキャストなどといった、コンテンツを複数のワイヤレスユーザに提供する、多元接続システムであってよい。通信システム１００は、複数のワイヤレスユーザが、ワイヤレス帯域幅を含むシステムリソースの共有を通じてそのようなコンテンツにアクセスすることを可能にできる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などといった、１つまたは複数のチャネルアクセス方法を用いることができる。
【０００９】
図１Ａに示すように、通信システム１００は、複数のＷＴＲＵ、例えば、ＷＴＲＵ１０２ａ、１０２ｂ、１０２ｃ、および１０２ｄなど、少なくとも１つのワイヤレス送信／受信ユニット（ＷＴＲＵ）、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示された実施形態は、任意の数のＷＴＲＵ、基地局、ネットワーク、および／またはネットワーク要素を企図することを認識されたい。ＷＴＲＵ１０２ａ、１０２ｂ、１０２ｃ、１０２ｄのそれぞれは、ワイヤレス環境で動作および／または通信するように構成された任意のタイプのデバイスであってよい。一例として、ＷＴＲＵ１０２ａ、１０２ｂ、１０２ｃ、１０２ｄは、ワイヤレス信号を送信および／または受信するように構成されてもよく、ユーザ機器（ＵＥ）、移動局、固定式または移動式加入者ユニット、ページャ、セルラー電話、携帯情報端末（ＰＤＡ）、スマートフォン、ラップトップ、ネットブック、パーソナルコンピュータ、ワイヤレスセンサ、家電製品などを含むことができる。
【００１０】
通信システム１００はまた、基地局１１４ａと基地局１１４ｂを含むこともできる。基地局１１４ａ、１１４ｂのそれぞれは、ＷＴＲＵ１０２ａ、１０２ｂ、１０２ｃ、１０２ｄの少なくとも１つとワイヤレスにインタフェースして、コアネットワーク１０６、インターネット１１０、および／またはネットワーク１１２など、１つまたは複数の通信ネットワークへのアクセスを容易にするように構成された任意のタイプのデバイスであってよい。一例として、基地局１１４ａ、１１４ｂは、ベーストランシーバ基地局（ＢＴＳ）、ノードＢ、ｅノードＢ、ホームノードＢ、ホームｅノードＢ、サイトコントローラ、アクセスポイント（ＡＰ）、ワイヤレスルータなどであってよい。基地局１１４ａ、１１４ｂはそれぞれ、単一要素として示されているが、基地局１１４ａ、１１４ｂは、相互接続された任意の数の基地局および／またはネットワーク要素を含むことができることを認識されたい。
【００１１】
基地局１１４ａは、基地局コントローラ（ＢＳＣ）、無線ネットワークコントローラ（ＲＮＣ）、中継ノードなどといった、他の基地局および／またはネットワーク要素（図示せず）を含むこともできる、ＲＡＮ１０４の一部であってよい。基地局１１４ａおよび／または基地局１１４ｂは、セル（図示せず）と呼ばれてもよい、特定の地理的領域内でワイヤレス信号を送信および／または受信するように構成され得る。セルは、セルセクタにさらに分割され得る。例えば、基地局１１４ａと関連しているセルを３つのセクタに分割できる。従って、一実施形態において、基地局１１４ａは、３つのトランシーバ、即ち、セルの各セクタに１トランシーバを含むことができる。別の実施形態において、基地局１１４ａは、マルチ入力マルチ出力（ＭＩＭＯ）技術を用いることができ、従って、セルの各セクタに複数のトランシーバを利用できる。
【００１２】
基地局１１４ａ、１１４ｂは、適した任意のワイヤレス通信リンク（例えば、無線周波数（ＲＦ）、マイクロ波、赤外線（ＩＲ）、紫外線（ＵＶ）、可視光線など）であってよい、エアインタフェース１１６を介してＷＴＲＵ１０２ａ、１０２ｂ、１０２ｃ、１０２ｄの１つまたは複数と通信できる。エアインタフェース１１６は、適した任意の無線アクセス技術（ＲＡＴ）を使用して確立され得る。
【００１３】
より詳細には、上述のように、通信システム１００は、多元接続システムであってよく、ＣＤＭＡ、ＴＤＭＡ、ＦＤＭＡ、ＯＦＤＭＡ、ＳＣ−ＦＤＭＡなどといった、１つまたは複数のチャネルアクセススキームを用いることができる。例えば、ＲＡＮ１０４内の基地局１１４ａおよびＷＴＲＵ１０２ａ、１０２ｂ、１０２ｃは、広帯域ＣＤＭＡ（ＷＣＤＭ）を使用してエアインタフェース１１６を確立できる、ユニバーサルモバイル通信システム（ＵＭＴＳ）地上波無線アクセス（ＵＴＲＡ）など、無線技術を実装できる。ＷＣＤＭＡ（登録商標）は、高速パケットアクセス（ＨＳＰＡ）および／または発展型ＨＳＰＡ（ＨＳＰＡ＋）など、通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１４】
別の実施形態において、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインタフェース１１６を確立できる、発展型ＵＭＴＳ地上波無線アクセス（Ｅ−ＵＴＲＡ）など、無線技術を実装できる。
【００１５】
他の実施形態において、基地局１１４ａおよびＷＴＲＵ１０２ａ、１０２ｂ、１０２ｃは、ＩＥＥＥ８０２．１６（即ち、ＷｉＭＡＸ(Worldwide Interoperability for Microwave Access)、ＣＤＭＡ２０００、ＣＤＭＡ２０００１Ｘ、ＣＤＭＡ２０００ＥＶ−ＤＯ、ＩＳ−２０００(Interim Standard 2000)、ＩＳ−９５(Interim Standard 95)、ＩＳ−８５６(Interim Standard 856)、モバイル通信用グローバルシステム（ＧＳＭ（登録商標））、ＧＳＭエボリューション用の拡張データレート（ＥＤＧＥ）、ＧＳＭ ＥＤＧＥ（ＧＥＲＡＮ）などといった、無線技術を実装できる。
【００１６】
図１Ａの基地局１１４ｂは、例えば、ワイヤレスルータ、ホームノードＢ、ホームｅノードＢ、またはアクセスポイントであってよく、職場、住宅、車、キャンパスなどといった、局所的エリアで無線接続性を容易にするために適した任意のＲＡＴを利用できる。一実施形態において、基地局１１４ｂおよびＷＴＲＵ１０２ｃ、１０２ｄは、ワイヤレスローカルエリアネットワーク（ＷＬＡＮ）を確立するＩＥＥＥ８０２．１１など、無線技術を実装できる。別の実施形態において、基地局１１４ｂおよびＷＴＲＵ１０２ｃ、１０２ｄは、ワイヤレスパーソナルエリアネットワーク（ＷＰＡＮ）を確立するＩＥＥＥ８０２．１５など、無線技術を実装できる。さらに別の実施形態において、基地局１１４ｂおよびＷＴＲＵ１０２ｃ、１０２ｄは、セルベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立できる。図１Ａに示すように、基地局１１４ｂは、インターネット１１０に直接接続できる。従って、基地局１１４ｂは、コアネットワーク１０６経由でインターネット１１０にアクセスする必要がない。
【００１７】
ＲＡＮ１０４は、音声、データ、アプリケーション、および／またはＶｏＩＰ（ボイスオーバーインターネットプロトコル）サービスをＷＴＲＵ１０２ａ、１０２ｂ、１０２ｃ、１０２ｄの１つまたは複数に提供するように構成された任意のタイプのネットワークであってよい、コアネットワーク１０６と通信できる。例えば、コアネットワーク１０６は、呼制御、課金サービス、モバイルロケーションベースのサービス、プリペイド電話、インターネット接続性、ビデオ分散などを提供でき、および／またはユーザ認証など、ハイレベルのセキュリティ機能を遂行できる。図１Ａに示していないが、ＲＡＮ１０４および／またはコアネットワーク１０６は、ＲＡＮ１０４と同じＲＡＴまたは異なるＲＡＴを用いる、他のＲＡＴとの直接または間接通信であってよいことを認識されたい。例えば、Ｅ−ＵＴＲＡ無線技術を利用できるＲＡＮ１０４に接続されることに加えて、コアネットワーク１０６はまた、ＧＳＭ無線技術を用いる別のＲＡＮ（図示せず）と通信することもできる。
【００１８】
コアネットワーク１０６はまた、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして機能することもできる。ＰＳＴＮ１０８は、旧来の音声電話サービス（ＰＯＳＴ）を提供する回線交換電話網を含むことができる。インターネット１１０は、伝送制御プロトコル（ＴＣＰ）、ユーザデータグラムプロトコル（ＵＤＰ）およびＴＣＰ／ＩＰインターネットプロトコルスイートにおけるインターネットプロトコル（ＩＰ）など、共通の通信プロトコルを使用する相互接続されたコンピュータネットワークおよびデバイスのグローバルシステムを含むことができる。ネットワーク１１２は、他のサービスプロバイダによって所有および／または運用されるワイヤードまたはワイヤレス通信ネットワークを含むことができる。例えば、ネットワーク１１２は、ＲＡＮ１０４と同じＲＡＴまたは異なるＲＡＴを用いることができる、１つまたは複数のＲＡＮに接続された別のコアネットワークを含むことができる。
【００１９】
通信システム１００内のＷＴＲＵ１０２ａ、１０２ｂ、１０２ｃ、１０２ｄの一部またはすべては、マルチモード能力を含むことができ、即ち、ＷＴＲＵ１０２ａ、１０２ｂ、１０２ｃ、１０２ｄは、異なるワイヤレスリンクを介して異なるワイヤレスネットワークと通信するための複数のトランシーバを含むことができる。例えば、図１Ａに示したＷＴＲＵ１０２ｃは、セルベースの無線技術を用いることができる基地局１１４ａと、ＩＥＥＥ８０２無線技術を用いることができる基地局１１４ｂとの通信を行うように構成され得る。
【００２０】
図１Ｂは、例示的なワイヤレス送信／受信ユニット、ＷＴＲＵ１０２を示している。ＷＴＲＵ１０２は、本明細書で説明される通信システムの１つまたは複数において使用され得る。図１Ｂに示すように、ＷＴＲＵ１０２は、プロセッサ１１８、トランシーバ１２０、送信／受信要素１２２、スピーカ／マイクロフォン１２４、キーパッド１２６、ディスプレイ／タッチパッド１２８、ノンリムーバブルメモリ１３０、リムーバブルメモリ１３２、電源１３４、全地球測位システム（ＧＰＳ）チップセット１３６、および他の周辺機器１３８を含むことができる。ＷＴＲＵ１０２は、実施形態と整合性を保った上で、上述の要素の任意のサブコンビネーションを含むことができることを認識されたい。
【００２１】
プロセッサ１１８は、汎用プロセッサ、専用プロセッサ、従来型プロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、現場プログラム可能ゲートアレイ（ＦＰＧＡ）回路、その他のタイプの集積回路（ＩＣ）、ステートマシンなどであってよい。プロセッサ１１８は、信号コーディング、データ処理、電力制御、入力／出力処理、および／またはＷＴＲＵ１０２が無線環境で動作できるようにするその他の機能性を遂行できる。プロセッサ１１８をトランシーバ１２０に連結でき、そのトランシーバを送信／受信要素１２２に連結できる。図１Ｂは、プロセッサ１１８とトランシーバ１２０とを別個のコンポーネントとして示しているが、プロセッサ１１８とトランシーバ１２０とを電子パッケージまたはチップ内にまとめてもよいことを認識されたい。
【００２２】
送信／受信要素１２２は、エアインタフェース１１６を介して基地局（例えば、基地局１１４ａ）に信号を送信する、または基地局から信号を受信するように構成され得る。例えば、一実施形態において、送信／受信要素１２２は、ＲＦ信号を送信および／または受信するように構成されたアンテナであってよい。別の実施形態において、送信／受信要素１２２は、例えば、ＩＲ、ＵＶ、または可視光線信号を送信および／または受信するように構成されたエミッタ／検出器であってよい。さらに別の実施形態において、送信／受信要素１２２は、ＲＦ信号と光信号との両方を送受信するように構成され得る。送信／受信要素１２２は、ワイヤレス信号の任意の組み合わせを送信および／または受信するように構成され得ることを認識されたい。
【００２３】
さらに、送信／受信要素１２２を単一要素として図１Ｂに示しているが、ＷＴＲＵ１０２は、任意の数の送信／受信要素１２２を含むことができる。より詳細には、ＷＴＲＵ１０２は、ＭＩＭＯ技術を用いることができる。従って、一実施形態において、ＷＴＲＵ１０２は、エアインタフェース１１６を介してワイヤレス信号を送受信する２または３以上の送信／受信要素１２２（例えば、複数のアンテナ）を含むことができる。
【００２４】
トランシーバ１２０は、送信／受信要素１２２によって送信される信号を変調して、送信／受信要素１２２によって受信される信号を復調するように構成され得る。上述のように、ＷＴＲＵ１０２は、マルチモード能力を有することができる、従って、トランシーバ１２０は、ＷＴＲＵ１０２が、例えば、ＵＴＲＡおよびＩＥＥＥ８０２．１１など、複数のＲＡＴ経由で通信することを可能にするための複数のトランシーバを含むことができる。
【００２５】
ＷＴＲＵ１０２のプロセッサ１１８は、スピーカ／マイクロフォン１２４、キーバッド１２６、および／またはディスプレイ／タッチパッド１２８（例えば、液晶ディスプレイ（ＬＣＤ）表示ユニットまたは有機発光ダイオード（ＯＬＥＤ）表示ユニット）に連結されて、それらからユーザ入力データを受信できる。プロセッサ１１８はまた、スピーカ／マイクロフォン１２４、キーバッド１２６、および／またはディスプレイ／タッチパッド１２８にユーザデータを出力することもできる。さらに、プロセッサ１１８は、ノンリムーバブルメモリ１３０および／またはリムーバブルメモリ１３２など、適した任意のタイプのメモリからの情報にアクセスして、それらのメモリにデータを格納できる。ノンリムーバブルメモリ１３０は、ランダムアクセスメモリ（ＲＡＭ）、リードオンリーメモリ（ＲＯＭ）、ハードディスク、またはその他のタイプのメモリ記憶デバイスを含むことができる。リムーバブルメモリ１３２は、契約者識別モジュール（ＳＩＭ）カード、メモリスティック、セキュアデジタル（ＳＤ）メモリカードなどを含むことができる。他の実施形態において、プロセッサ１１８は、サーバまたはホームコンピュータ（図示せず）上など、物理的にＷＴＲＵ１０２上に配置されないメモリからの情報にアクセスして、それらのメモリにデータを格納できる。
【００２６】
プロセッサ１１８は、電源１３４から電力を受け取ることができ、その電力をＷＴＲＵ１０２内の他のコンポーネントに分散および／または制御するように構成され得る。電源１３４は、ＷＴＲＵ１０２に電力供給するのに適した任意のデバイスであってよい。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００２７】
プロセッサ１１８はまた、ＷＴＲＵ１０２の現在の位置に関する位置情報（例えば、経緯度）を提供するように構成され得る、ＧＰＳチップセット１３６にも連結され得る。追加または代替として、ＧＰＳチップセット１３６からの情報により、ＷＴＲＵ１０２は、基地局（例えば、基地局１１４ａ、１１４ｂ）からエアインタフェース１１６を介して位置情報を受信でき、および／または２または３以上の近くの基地局から受信される信号のタイミングに基づいてＷＴＲＵの位置を判定できる。ＷＴＲＵ１０２は、実施形態と整合性を保った上で、適した任意の位置判定方法によって位置情報を獲得できることを認識されたい。
【００２８】
プロセッサ１１８は、付加的な特徴、機能性および／またはワイヤードまたはワイヤレス接続性を提供する、１つまたは複数のソフトウェアモジュールおよび／またはハードウェアモジュールを含むことができる、他の周辺機器１３８にさらに連結され得る。例えば、周辺機器１３８は、加速度計、電子コンパス、衛星トランシーバ、デジタルカメラ（写真またはビデオ用）、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含むことができる。
【００２９】
図１Ｃは、例示的なＷＬＡＮデバイスを示しており、そのデバイスの１つまたは複数を使用して本明細書で説明される特徴の１つまたは複数を実装し、ＷＬＡＮシステム２００を動作することができる。ＷＬＡＮシステム２００は、ＤＳＳＳ、ＯＦＤＭ、ＯＦＤＭＡなどといったチャネルアクセス方式を含み得る、ＩＥＥＥ８０２．１１通信規格の１つまたは複数のプロトコルを実装するように構成され得る。ＷＬＡＮは、例えば、インフラストラクチャモード、アドホックモードなどといったモードで動作できる。
【００３０】
ＷＬＡＮシステム２００は、限定されないが、アクセスポイント（ＡＰ）２０２、基地局（ＳＴＡ）２０４、およびＳＴＡ２０６を含むことができる。ＳＴＡ２０４と２０６は、ＡＰ２０２と関連付けられ得る。インフラストラクチャモードで動作するＷＬＡＮは、関連する１つまたは複数のＳＴＡと通信する１つまたは複数のＡＰを備えることができる。ＡＰおよびＡＰと関連するＳＴＡは、基本サービスセット（ＢＳＳ）を備えることができる。例えば、ＡＰ２０２、ＳＴＡ２０４、およびＳＴＡ２０６は、ＢＳＳ２１０を備えることができる。拡張サービスセット（ＥＳＳ）は、（１つまたは複数のＢＳＳを有する）１つまたは複数のＡＰ、およびＡＰと関連するＳＴＡを備えることができる。
【００３１】
ＡＰは、ワイヤードおよび／またはワイヤレスであってよいおよびトラフィックをＡＰに搬送するおよび／またはＡＰから搬送することができる、分散システム（ＤＳ）にアクセスできるおよび／またはインタフェースできる。ＷＬＡＮの外部を起源とするＷＬＡＮのＳＴＡへのトラフィックは、トラフィックをＷＬＡＮのＳＴＡに送出できる、ＷＬＡＮのＡＰにおいて受信され得る。ＷＬＡＮのＳＴＡを起源としてＷＬＡＮの外部の宛先は、トラフィックを宛先に送出できる、ＷＬＡＮのＡＰに送出され得る。
【００３２】
図示されたように、ＡＰ２０２は、ネットワーク２２０との通信を行う。ネットワーク２２０は、サーバ２３０との通信を行う。ＷＬＡＮ内のＳＴＡ間のトラフィックは、１つまたは複数のＡＰを介して送出され得る。例えば、ソースＳＴＡ（例えば、ＳＴＡ２０６）は、宛先ＳＴＡ（例えば、ＳＴＡ２０４）に向けたトラフィックを有することができる。ＳＴＡ２０６は、トラフィックをＡＰ２０２に送出でき、そしてＡＰ２０２は、そのトラフィックをＳＴＡ２０４に送出できる。
【００３３】
ＷＬＡＮは、アドホックモードで動作できる。アドホックモードのＷＬＡＮは、独立ＢＳＳと呼ばれ得る。アドホックモードのＷＬＡＮにおいて、ＳＴＡは、互いに直接通信できる（例えば、ＳＴＡ２０４は、ＡＰを介してルートされるような通信を用いずにＳＴＡ２０６と通信できる）。
【００３４】
ＩＥＥＥ８０２．１１デバイス（例えば、ＢＳＳにおけるＩＥＥＥ８０２．１１ＡＰ）は、ＷＬＡＮネットワークの存在を告知するビーコンフレームを使用できる。ＡＰ２０２など、ＡＰは、ビーコンをチャネル、例えば、主チャネルなど、固定チャネルでビーコンを送信できる。ＳＴＡは、主チャネルなど、チャネルを使用して、ＡＰとの接続を確立できる。
【００３５】
ＳＴＡおよび／またはＡＰは、ＣＳＭＡ／ＣＡ(Carrier Sense Multiple Access with Collision Avoidance)チャネルアクセス機構を使用できる。ＣＳＭＡ／ＣＡにおいて、ＳＴＡおよび／またはＡＰは、主チャネルを感知できる。例えば、ＳＴＡが送出するデータを有していれば、そのＳＴＡは、主チャネルを感知できる。主チャネルがビジーであることが検出されると、ＳＴＡは、バックオフできる。例えば、ＷＬＡＮまたはその一部は、１つのＳＴＡが、例えば、所与のＢＳＳの、所与の時間において送信できるように構成され得る。チャネルアクセスは、ＲＴＳおよび／またはＣＴＳシグナリングを含むことができる。例えば、送出するデバイスによって送信され得るリクエストトゥセンド（ＲＴＳ）フレームと、受信するデバイスによって送出され得るクリアトゥセンド（ＣＴＳ）フレームとの交換である。例えば、ＡＰが、ＳＴＡに送出するデータを有していれば、そのＡＰは、ＲＴＳフレームをＳＴＡに送出できる。ＳＴＡがデータを受信する準備ができていれば、そのＳＴＡは、ＣＴＳフレームで応答できる。ＲＴＳを開始するＡＰがそのデータを送信できる間、ＣＴＳフレームは、他のＳＴＡにメディアにアクセスしないようにアラートできる時間値を含むことができる。ＳＴＡからＣＴＳフレームを受信すると、ＡＰは、データをＳＴＡに送出できる。
【００３６】
デバイスは、ネットワークアロケーションベクトル（ＮＡＶ）フィールドを通じてスペクトルを予約できる。例えば、ＩＥＥＥ８０２．１１フレームにおいて、ＮＡＶフィールドを使用して、ある時間帯のチャネルを予約できる。データを送信したいＳＴＡは、チャネルを使用することが予期できる時間にＮＡＶを設定できる。ＳＴＡがＮＡＶを設定する時、ＮＡＶは、関連するＷＬＡＮまたはそのサブセット（例えば、ＢＳＳ）に設定され得る。他のＳＴＡは、ＮＡＶをゼロにまでカウントダウンできる。カウンタがゼロの値に達すると、ＮＡＶの機能性は、他のＳＴＡにそのチャネルが現在使用可能であることを示すことができる。
【００３７】
ＡＰまたはＳＴＡなど、ＷＬＡＮのデバイスは、以下のうち１つまたは複数を含むことができる：プロセッサ、メモリ、無線レシーバおよび／またはトランスミッタ（例えば、これらをトランシーバに一体化してよい）、１つまたは複数のアンテナ（例えば、図１のアンテナ１０６）など。プロセッサの機能は、１つまたは複数のプロセッサを備えることができる。例えば、プロセッサは、以下のうち１つまたは複数を含むことができる：汎用プロセッサ、専用プロセッサ（例えば、ベースバンドプロセッサ、ＭＡＣプロセッサなど）、デジタル信号プロセッサ（ＤＳＰ）、特定用途向け集積回路（ＡＳＩＣ）、現場プログラム可能ゲートアレイ（ＦＰＧＡ）回路、その他のタイプの集積回路（ＩＣ）、ステートマシンなど。１つまたは複数のプロセッサは、互いに統合されても統合されなくてもよい。プロセッサ（例えば、１つまたは複数のプロセッサまたはそのサブセット）は、１つまたは複数の他の機能（例えば、メモリなど他の機能）と統合され得る。プロセッサは、信号コーディング、データ処理、電力制御、入力／出力処理、変調、復調、および／またはデバイスが図２のＷＬＡＮなど、ワイヤレス環境で動作することを可能にできるその他の機能性を遂行できる。プロセッサは、例えば、ソフトウェアおよび／またはファームウェア命令を含む、プロセッサが実行可能なコード（例えば、命令）を実行するように構成され得る。例えば、プロセッサは、プロセッサ（例えば、メモリおよびプロセッサを含むチップセット）またはメモリの１つまたは複数に含まれるコンピュータ可読命令を実行するように構成され得る。命令の実行によって、デバイスが本明細書で説明される機能の１つまたは複数を遂行できるようにさせる。
【００３８】
デバイスは、１つまたは複数のアンテナを含むことができる。デバイスは、マルチ入力マルチ出力（ＭＩＭＯ）技術を用いることができる。１つまたは複数のアンテナは、無線信号を受信できる。プロセッサは、例えば、１つまたは複数のアンテナ経由で無線信号を受信できる。１つまたは複数のアンテナは、（例えば、プロセッサから送出された信号に基づいて）無線信号を送信できる。
【００３９】
デバイスは、プロセッサが実行可能なコードまたは命令（例えば、ソフトウェア、ファームウェアなど）、電子データ、データベース、または他のデジタル情報など、プログラミングおよび／またはデータを格納するための１つまたは複数のデバイスを含むことができるメモリを有することができる。メモリは、１つまたは複数のメモリユニットを含むことができる。１つまたは複数のメモリユニットは、１つまたは複数の他の機能（例えば、プロセッサなど、デバイスに含まれる他の機能）と統合され得る。メモリは、リードオンリーメモリ（ＲＯＭ）（例えば、ＥＰＲＯＭ(erasable programmable read only memory)、ＥＥＰＲＯＭ(electrically erasable programmable read only memory)など）、ランダムアクセスメモリ（ＲＡＭ）、磁気ディスク記憶媒体、光記憶媒体、フラッシュメモリデバイス、および／または情報を格納するための他の非一時的コンピュータ可読媒体を含むことができる。メモリは、プロセッサに連結され得る。プロセッサは、メモリの１つまたは複数のエンティティとの通信を、例えば、システムバス経由、直接などで行うことができる。
【００４０】
図２について、インフラストラクチャ基本サービスセット（ＢＳＳ）モードのＷＬＡＮは、基本サービスセットのアクセスポイント（ＡＰ）およびＡＰと関連する１つまたは複数の基地局（ＳＴＡ）を有することができる。ＡＰは、分散システム（ＤＳ）またはトラフィックをＢＳＳの内外に搬送できる別のタイプのワイヤード／ワイヤレスネットワークにアクセスまたはインタフェースできる。ＳＴＡへのトラフィックは、ＢＳＳの外部を起源とすることができ、ＡＰまで到達でき、そしてＳＴＡに配信されることができる。ＳＴＡを起源としてＢＳＳの外部を宛先とするトラフィックは、それぞれの宛先に配信されるＡＰに送出され得る。ＢＳＳ内のＳＴＡ間のトラフィックは、ソースＳＴＡがトラフィックをＡＰに送出できるＡＰまで送出され、そしてそのＡＰは、トラフィックを宛先ＳＴＡに配信できる。ＢＳＳ内のＳＴＡ間のトラフィックは、ピアツーピアトラフィックであってよい。このようなピアツーピアトラフィックは、ソースＳＴＡと宛先ＳＴＡとの間で、例えば、ＩＥＥＥ８０２．１１ｅＤＬＳまたはＩＥＥＥ８０２．１１ｚトンネルＤＬＳ（ＴＤＬＳ）を使用するダイレクトリンクセットアップ（ＤＬＳ）を用いて、直接送出され得る。独立ＢＳＳ（ＩＢＳＳ）モードを使用するＷＬＡＮは、ＡＰを持たなくてもよく、そしてＳＴＡは、互いに直接通信できる。この通信モードは、アドホックモードであってよい。
【００４１】
ＩＥＥＥ８０２．１１インフラストラクチャモードの動作を使用することにより、ＡＰは、固定チャネル、通常は主チャネルでビーコンを送信できる。このチャネルは、２０ＭＨｚ帯域幅であってよく、ＢＳＳの動作チャネルになり得る。このチャネルはまた、ＡＰとの接続を確立するＳＴＡによっても使用され得る。ＩＥＥＥ８０２．１１システムにおけるチャネルアクセスは、ＣＳＭＡ／ＣＡ(Carrier Sense Multiple Access with Collision Avoidance)であってよい。この動作モードにおいて、ＡＰを含む、ＳＴＡは、主チャネルを感知できる。チャネルがビジーであることが検出されると、ＳＴＡは、バックオフできる。１つのＳＴＡは、所与のＢＳＳの所与の時間において送信できる。
【００４２】
ＩＥＥＥ８０２．１１ａｃにおいて、超高速スループット（ＶＨＴ）ＳＴＡは、例えば、２０ＭＨｚ、４０ＭＨｚ、８０ＭＨｚ、および／または１６０ＭＨｚ帯域幅のチャネルをサポートできる。４０ＭＨｚ、および８０ＭＨｚチャネルは、例えば、隣接２０ＭＨｚチャネルを結合することによって形成され得る。１６０ＭＨｚチャネルは、例えば、８つの隣接２０ＭＨｚチャネルを結合することによって、または２つの非隣接８０ＭＨｚチャネルを結合する（例えば、８０＋８０構成（configuration）と呼ばれる）ことによって形成され得る。８０＋８０構成の場合、データは、チャネルエンコーディングの後、データを２つのストリームに分割できるセグメントパーサを通じて渡され得る。逆高速フーリエ変換（ＩＦＦＴ）、および時間領域、処理は、各ストリームで別個に行われ得る。ストリームは、２つのチャネルにマップされ、そしてそのデータが送信され得る。レシーバにおいて、この機構が逆にされ、そして結合されたデータがＭＡＣに送出され得る。
【００４３】
図３は、ＩＥＥＥ８０２．１１ａｃネットワークにおけるオーバーラッピングベースステーションサブシステム（ＯＢＳＳ）のチャネル割り当ての例を示している。ＩＥＥＥ８０２．１１ａｃは、ＯＢＳＳのチャネル選択に対する規則を提供できる。例えば、ＡＰまたはメッシュＳＴＡが既存のＢＳＳの１つまたは複数のチャネルを占有するＶＨＴ ＢＳＳを開始すると、そのＡＰは、既存のＢＳＳのうち１つの主チャネルと同一であるＶＨＴ ＢＳＳの主チャネルを選択できる。ＡＰまたはメッシュＳＴＡが、ＯＢＳＳが走査する間ビーコンが全く検出されないチャネルの中から４０ＭＨｚ、８０ＭＨｚ、１６０ＭＨｚ、または８０＋８０ＭＨｚの動作チャネル帯域幅を用いるＶＨＴ ＢＳＳの主チャネルを選択することを決める場合、選択された主チャネルは、４０ＭＨｚ、８０ＭＨｚ、１６０ＭＨｚ、または８０＋８０ＭＨｚの動作チャネル帯域幅を用いる既存のＢＳＳの副次的な２０ＭＨｚチャネルと同一にならなくてもよい。主チャネルは、１６０ＭＨｚまたは８０＋８０ＭＨｚの動作チャネル帯域幅を用いる既存のＢＳＳの副次的な４０ＭＨｚチャネルにオーバーラップされなくてもよい。
【００４４】
ＡＰまたはメッシュＳＴＡは、４０ＭＨｚ、８０ＭＨｚ、１６０ＭＨｚまたは８０＋８０ＭＨｚの動作チャネル帯域幅を用いる既存のＢＳＳの副次的な２０ＭＨｚチャネルとなり得るチャネル上で２０ＭＨｚの動作チャネル帯域幅を用いるＶＨＴ ＢＳＳを開始できないか、または１６０ＭＨｚまたは８０＋８０ＭＨｚの動作チャネル帯域幅を用いる任意の既存のＢＳＳの副次的な４０ＭＨｚチャネルにオーバーラップされ得る。４０ＭＨｚ、８０ＭＨｚ、１６０ＭＨｚまたは８０＋８０ＭＨｚの動作チャネル帯域幅を用いるＶＨＴ ＢＳＳを動作させるＡＰまたはメッシュＳＴＡは、主チャネルがそのＡＰのまたはメッシュＳＴＡの副次的な２０ＭＨｚチャネルである、ＯＢＳＳを検出すると、２０ＭＨｚ ＢＳＳ動作に切り替えることができるおよび／または異なるチャネルに移動できる。主、および／または副チャネルは、上記に指定された以外の帯域幅を占有できる。例えば、主および副チャネルは、２０ＭＨｚの代わりに、５ＭＨｚを占有できる。
【００４５】
世界中のさまざまな国において、１つまたは複数のスペクトルは、ＷＬＡＮなど、ワイヤレス通信システムに割り振られ得る。そのようなスペクトルは、構成するサイズおよびチャネル帯域幅に制限され得る。スペクトルは、断片化され得る。使用可能なチャネルは、隣り合わず、そしてより広い帯域幅で送信するために、例えば、さまざまな国において１ＧＨｚ未満で割り振られるスペクトルで結合されない。例えば、ＩＥＥＥ８０２．１１規格で構築されるＷＬＡＮシステムは、このようなスペクトルで動作するように設計される。そのＷＬＡＮシステムは、例えば、ＩＥＥＥ８０２．１１ｎ／８０２．１１ａｃ規格に基づくＨＴ／ＶＨＴ ＷＬＡＮシステムに比べて小さい帯域幅および／または低いデータレートに制限される。
【００４６】
ＩＥＥＥ８０２．１１ａｈは、サブ１ＧＨｚモードの動作をサポートできる。ＩＥＥＥ８０２．１１ａｈは、１ＧＨｚ未満で動作し得るＯＦＤＭ物理層（ＰＨＹ）をサポートできる。このような８０２．１１ａｈシステムは、ＴＶホワイトスペース（ＴＶＷＳ）を除いた無認可帯域で動作できる。ＩＥＥＥ８０２．１１は、他のシステム（例えば、８０２．１５．４、８０２．１５．４ｇなど）と共存する間、強化ＰＨＹ層をサポートするＭＡＣ層の強化をサポートできる。ＩＥＥＥ８０２．１１ａｈは、マクロカバレッジエリア内のメータタイプ制御（ＭＴＣ）デバイスをサポートできる。ＭＴＣデバイス（例えば、センサ、メータなど）は、例えば、セルラーオフロードのために範囲が拡張されたＷｉ−Ｆｉのサポートを含む、能力を有することができる。
【００４７】
１つまたは複数の国におけるスペクトルの割り振りは、制限され得る。例えば、中国において、４７０−５６６および６１４−７８７ＭＨｚ帯域が１ＭＨｚ帯域幅を許可できる。１ＭＨｚモードによる２ＭＨｚのサポートに加え、１ＭＨｚのみのオプションをサポートする必要がある。８０２．１１ａｈＰＨＹは、１、２、４、８および１６ＭＨｚ帯域幅の１つまたは複数をサポートできる。
【００４８】
８０２．１１ａｈＰＨＹは、１ＧＨｚ未満で動作でき、そして８０２．１１ａｃＰＨＹに基づくことができる。必要に応じて８０２．１１ａｈによって狭い帯域幅を収容するために、８０２．１１ａｃＰＨＹは、１０の係数でダウンクロックされ得る。２、４、８および１６ＭＨｚのサポートは、本明細書で説明される１／１０ダウンクロッキングで実現され得る。１ＭＨｚ帯域幅のサポートは、例えば、３２サイズの高速フーリエ変換（ＦＦＴ）を有する、ＰＨＹ定義を必要とし得る。
【００４９】
本明細書で説明されるように、ＩＥＥＥ８０２．１１ａｈは、メータおよびセンサのサポートを提供できる。例えば、１から６０００までのＳＴＡは、ＢＳＳ内でサポートされ得る。スマートメータおよびセンサといったデバイスは、サポートされるアップリンクおよびダウンリンクトラフィックに関する異なる要件を有し得る。例えば、センサおよびメータは、データを例えば、アップリンクトラフィック経由でサーバに定期的にアップロードするように構成され得る。センサおよびメータは、サーバによってクエリされるまたは構成されてもよい。サーバがセンサおよび／またはメータをクエリするまたは構成する場合、サーバは、クエリされるデータが設定間隔内に到達することを予期できる。サーバおよび／またはアプリケーションは、ある間隔内で遂行される構成の確認を予期できる。センサおよび／またはメータを有するネットワークのトラフィックパターンのタイプは、通常のＷＬＡＮシステムに想定されるトラフィックパターンとは異なる。
【００５０】
８０２．１１ａｈにおいて、パケットのＰＬＣＰプリアンブルのＳＩＧフィールド、例えば、１つまたは複数の（例えば、２）ビットを使用して、応答として予期される肯定応答のタイプ（例えば、Ｅａｒｌｙ ＡＣＫ Ｉｎｄｉｃａｔｉｏｎ）をパケットに表示できる：ＡＣＫ（例えば、００値）、ＢＡ（例えば、０１値）およびＮｏ ＡＣＫ（例えば、１０値）。値（例えば、１１値）は、今後の使用のために予約され得る。
【００５１】
ＩＥＥＥ８０２．１１ａｈは、Ｆｒｅｑｕｅｎｃｙ  Ｓｅｌｅｃｔｉｖｅ  Ｔｒａｎｓｍｉｓｓｉｏｎ（周波数選択性送信)のサポートを提供できる。周波数選択性送信によって、より良いチャネル品質およびより高い送信データレートを可能にする、周波数の広帯域における狭帯域送信が可能となる。ＩＥＥＥ８０２．１１ａｈは、ＡＰがＢＳＳの１つまたは複数のサブチャネル上で１ターゲットビーコン送信時間（ＴＢＴＴ）当たり１つまたは複数のビーコンを送信できるようにさせる。ＩＥＥＥ８０２．１１ａｈは、関連するＳＴＡが送信するために使用できる、サブチャネルを特定できる、ビーコンのサブミッション許可ビットマップを含むことができる。
【００５２】
ＩＥＥＥ８０２．１１ａｈは、制限アクセスウィンドウ（ＲＡＷ）および／またはＴＷＴフィールドのチャネル表示のサポートを提供できる。ＡＰは、ＡＰがそのビーコンに表示できるチャネルのうちの１つで１つまたは複数のパケットを検出するおよび／または受信することができる。ＡＰは、ＢＳＳ ＢＷ内の１つのチャネル（例えば、主チャネル）または複数のチャネルをサポートできるであろう。ＡＰは、異なるチャネル上での並列送信を検出するおよび／またはデコードすることができないであろう。
【００５３】
ＩＥＥＥ８０２．１１ａｈは、サブチャネル選択性送信要素のサポートを提供できる。図４は、サブチャネル選択性送信要素の例示的なフォーマットを示している。図５は、ＳＳＴ要素に含まれ得るチャネルアクティビティスケジュールサブフィールドの例を示している。図４に示すように、チャネルアクティビティスケジュールは、以下のフィールド：チャネルアクティビティビットマップ、アップリンクアクティビティビット、ダウンリンクアクティビティビット、最大送信帯域幅、アクティビティ開始時間などを含むことができる。
【００５４】
Ｃｈａｎｎｅｌ  Ａｃｔｉｖｉｔｙ  Ｂｉｔｍａｐサブフィールドは、送信アクティビティが予期されるまたは許可されるチャネルを表示するビットマップを含むことができる。ビットマップ内の各ビットは、動作帯域の１つの最小帯域幅チャネルに対応する。最下位（ＬＳ）ビットは、ＢＳＳの最小数字の動作チャネルに対応する。ビットマップ内のビット位置の値（例えば、１の値）は、ＡＰがアクティビティを予期するまたはＭａｘｉｍｕｍ  Ｔｒａｎｓｍｉｓｓｉｏｎ  Ｗｉｄｔｈ（最大送信帯域幅）よりも狭いまたは等しい帯域幅を用いた送信を許可するという意味である。ビット位置の値１はさらに、Ａｃｔｉｖｉｔｙ  Ｓｔａｒｔ  Ｔｉｍｅサブフィールドに表示される時間の後の、チャネルを含むという意味である。ビットマップ内の１つまたは複数のビットは、値１に設定できる。
【００５５】
ＵＬアクティビティビットは、サブフィールドを送信するＡＰと関連するＳＴＡが、Ａｃｔｉｖｉｔｙ  Ｓｔａｒｔ  Ｔｉｍｅサブフィールドに表示される時間にＣｈａｎｎｅｌ  Ａｃｔｉｖｉｔｙ  ＢｉｔｍａｐおよびＭａｘｉｍｕｍ  Ｔｒａｎｓｍｉｓｓｉｏｎ  Ｗｉｄｔｈによって特定されるチャネル上での送信を許可されるかどうかを表示できる。ＤＬ Ａｃｔｉｖｉｔｙビットは、サブフィールドを送信するＡＰが、Ａｃｔｉｖｉｔｙ  Ｓｔａｒｔ  Ｔｉｍｅサブフィールドに表示される時間にＣｈａｎｎｅｌ  Ａｃｔｉｖｉｔｙ  ＢｉｔｍａｐおよびＭａｘｉｍｕｍ  Ｔｒａｎｓｍｉｓｓｉｏｎ  Ｗｉｄｔｈによって特定されるチャネル上での送信を行うつもりであるかどうかを表示できる。Ｍａｘｉｍｕｍ  Ｔｒａｎｓｍｉｓｓｉｏｎ  Ｗｉｄｔｈフィールドは、表示されたチャネル上での送信に許可される最大ＰＰＤＵ帯域幅を表示できる。
【００５６】
Ａｃｔｉｖｉｔｙ  Ｓｔａｒｔ  Ｔｉｍｅサブフィールドは、ＡＰが対応するＣｈａｎｎｅｌ  Ａｃｔｉｖｉｔｙ  Ｂｉｔｍａｐに表示されるチャネルのアクティビティを予期する時の開始時間を提供できる値を含むことができる。開始時間は、ＢＳＳのＴＳＦの２０最下位ビットがＡｃｔｉｖｉｔｙ  Ｓｔａｒｔ  Ｔｉｍｅサブフィールドの値とマッチすると、そのサブフィールドを包含するフレームの送信から開始する、次の時間に等しい。
【００５７】
ＩＥＥＥ８０２．１１（例えば、８０２．１１ａｈ）に基づくワイヤレスネットワークにおいて、ＳＴＡは、異なるチャネル動作モードを有することができる。ＡＰは、１つまたは複数のチャネルが一定の時間帯そのＡＰのＢＳＳにおける動作に使用されることを示すことができる。狭帯域幅および周波数選択性により、ＢＳＳの主チャネルは、一部のＳＴＡが送信するまたは受信する最適な（または最も好適な）チャネルとはならない。一部のＳＴＡにとって最良のチャネルは、他のＳＴＡにとって最良のチャネルとはならない。ＳＴＡの１つまたは複数の設定は、モニタリングおよび異なるチャネルへのアクセス試行である。ＳＴＡおよびＡＰが正しく効率的な周波数選択性送信を行うための方法が必要とされる。
【００５８】
周波数選択性送信を提供できる。ＡＰが、１つまたは複数のチャネルが一定の時間帯そのＡＰのＢＳＳの動作に使用されることを示すと、ＳＴＡは、ＵＬトラフィックをＡＰに送出するなど、そのＳＴＡの動作を行うための最良のチャネルを選択する。ＳＴＡおよびＡＰのそれぞれに正しく効率的な周波数選択性送信を行わせるために、さまざまな実装を提供できる。
【００５９】
サブチャネル選択性送信能力表示を提供できる。ＳＴＡおよび／またはＡＰは、それらがサブチャネル選択性送信（ＳＳＴ）能力をサポートすることを示すことができる。例えば、ＳＴＡまたはＡＰは、プローブ要求および／またはプローブ応答、ビーコン、短ビーコン、アソシエーション要求および／またはアソシエーション応答、再アソシエーション要求および／または再アソシエーション応答といったフレーム、あるいは他の制御、管理、および／または拡張フレームの１つまたは複数のビットによるＳＳＴ表示を含むことができる。このようなＳＳＴ表示は、フィールドの一部、またはフィールドのサブフィールド、またはＩＥであってよい。例えば、以下の要素のうち１つまたは複数を使用できる：ＳＩＧ Ｃａｐａｂｉｌｉｔｉｅｓ Ｅｌｅｍｅｎｔ、ＳＩＧ Ｏｐｅｒａｔｉｏｎ Ｅｌｅｍｅｎｔ、Ｖｅｒｙ Ｈｉｇｈ Ｔｈｒｏｕｇｈｐｕｔ（ＶＨＴ）Ｃａｐａｂｉｌｉｔｉｅｓ Ｅｌｅｍｅｎｔ、ＨＥＷ（Ｈｉｇｈ Ｅｆｆｉｃｉｅｎｃｙ Ｗｉ−Ｆｉ）Ｃａｐａｂｉｌｉｔｉｅｓ Ｅｌｅｍｅｎｔ、または制御、管理、および／または拡張フレームに含まれ得るＶＨＳＥ（Ｖｅｒｙ Ｈｉｇｈ Ｓｐｅｃｔｒａｌ Ｅｆｆｉｃｉｅｎｃｙ）Ｃａｐａｂｉｌｉｔｉｅｓ Ｅｌｅｍｅｎｔ。ＳＴＡおよび／またはＡＰは、アソシエーション中および／または他の時間においてそれらのＳＳＴのサポートを示す情報を交換できる。
【００６０】
ＡＰは、そのＡＰのＢＳＳがＳＳＴを使用して、例えば、プローブ要求および／またはプローブ応答、ビーコン、短ビーコン、アソシエーション要求および／またはアソシエーション応答、再アソシエーション要求および／または再アソシエーション応答といったフレーム、あるいは他の制御、管理、および／または拡張フレームの１つまたは複数のビットによるＳＳＴ Ｏｐｅｒａｔｉｏｎ Ｉｎｄｉｃａｔｉｏｎを含むことによって動作できることを示すことができる。このようなＳＳＴ Ｏｐｅｒａｔｉｏｎ Ｉｎｄｉｃａｔｉｏｎは、フィールドの一部、フィールドのサブフィールド、またはＩＥであってよい。例えば、以下の要素のうち１つまたは複数を使用できる：ＳＩＧ Ｏｐｅｒａｔｉｏｎ Ｅｌｅｍｅｎｔ、ＶＨＴ Ｏｐｅｒａｔｉｏｎ Ｅｌｅｍｅｎｔ、ＨＥＷ Ｏｐｅｒａｔｉｏｎ Ｅｌｅｍｅｎｔ、または制御、管理、および／または拡張フレームに含まれ得るＶＨＳＥ Ｏｐｅｒａｔｉｏｎ Ｅｌｅｍｅｎｔ。ＡＰは、ＳＴＡがＳＳＴ動作をサポートするかどうかに基づいてＳＴＡからの（再）アソシエーション要求を許可または拒否できる。例えば、ＡＰは、ＭＬＭＥ−ＲｅＡｓｓｏｃｉａｔｅ．ＲｅｓｐｏｎｓｅプリミティブのＲｅｆｕｓｅｄ＿ＳＳＴ＿Ｎｏｔ＿ＳｕｐｐｏｒｔｅｄのＲｅｓｕｌｔＣｏｄｅを使用できる。同じＲｅｓｕｌｔＣｏｄｅは、ＭＥＭＥ−（Ｒｅ）Ａｓｓｏｃｉａｔｅ．Ｃｏｎｆｉｒｍプリミティブに使用され得る。これら２つの以前のプリミティブをサポートするために、ＳＳＴＣａｐａｂｉｌｉｔｙは、ＭＬＭＥ−（Ｒｅ）Ａｓｓｏｃｉａｔｅ．ＲｅｑｕｅｓｔおよびＭＬＭＥ−（Ｒｅ）Ａｓｓｏｃｉａｔｅ．Ｉｎｄｉｃａｔｉｏｎプリミティブに含まれ得る（例えば、ＳＩＧＣａｐａｂｉｌｉｔｉｅｓなど、異なるパラメータの一部として含まれ得る）。
【００６１】
Ｐｒｉｍａｒｙおよび／またはＡｃｃｅｓｓ Ｃｈａｎｎｅｌ Ｉｎｄｉｃａｔｉｏｎを明示的に提供できる。アクセスおよび／または主チャネルは、ＳＴＡが、ＳＳＴ期間といった期間中に使用可能な同じまたは異なるチャネルへのアクセスをモニタして競合できる、（例えば、任意の帯域幅の）チャネルであってよい。ＡＰは、例えば、図６の例で示すように、Ｐｒｉｍａｒｙ／Ａｃｃｅｓｓ Ｃｈａｎｎｅｌ Ｉｎｆｏｒｍａｔｉｏｎ Ｅｌｅｍｅｎｔを使用して１つまたは複数の動的な主および／またはアクセスチャネルを示すことができる。
【００６２】
図６に示すように、Ｐｒｉｍａｒｙ／Ａｃｃｅｓｓ ＣｈａｎｎｅｌＩｎｄｉｃａｔｉｏｎ ＩＥは、以下のフィールドを含むことができる：Ｅｌｅｍｅｎｔ ＩＤ、Ｌｅｎｇｔｈ、Ｎｕｍｂｅｒ ｏｆ Ｆｉｅｌｄｓなど。Ｅｌｅｍｅｎｔ ＩＤは、現在のＩＥがＰｒｉｍａｒｙ／Ａｃｃｅｓｓ Ｃｈａｎｎｅｌ Ａｓｓｉｇｎｍｅｎｔ ＩＥであることを示すことができる。Ｌｅｎｇｔｈフィールドは、Ｐｒｉｍａｒｙ／Ａｃｃｅｓｓ Ｃｈａｎｎｅｌ Ａｓｓｉｇｎｍｅｎｔ ＩＥの長さを示すことができる。Ｎｕｍｂｅｒ ｏｆ Ｆｉｅｌｄｓは、現在のＩＥ内にあるＰｒｉｍａｒｙおよび／またはＡｃｃｅｓｓ Ｃｈａｎｎｅｌ Ｒｅｐｏｒｔｉｎｇフィールドの数を示すことができる。１つのＰｒｉｍａｒｙおよび／またはＡｃｃｅｓｓ Ｃｈａｎｎｅｌ Ｒｅｐｏｒｔｉｎｇフィールドがデフォルトで含まれると、Ｎｕｍｂｅｒ ｏｆ Ｆｉｅｌｄｓは不在となる。
【００６３】
各Ｐｒｉｍａｒｙおよび／またはＡｃｃｅｓｓ Ｃｈａｎｎｅｌ Ｒｅｐｏｒｔｉｎｇフィールドは、以下のサブフィールドを含むことができる：Ｐｒｉｍａｒｙ Ｃｈａｎｎｅｌ、Ａｃｃｅｓｓ Ｃｈａｎｎｅｌ、Ｃｈａｎｎｅｌ Ｏｐｅｒａｔｉｎｇ Ｍｏｄｅ、Ｓｃｈｅｄｕｌｅ、Ｇｒｏｕｐ ＩＤ、ＳｕｂＧｒｏｕｐ ＩＤ、Ｃｈａｎｎｅｌ Ａｓｓｉｇｎｍｅｎｔ、Ｐａｒａｍｅｔｅｒｓなど。
【００６４】
Ｐｒｉｍａｒｙ Ｃｈａｎｎｅｌサブフィールドは、ＢＳＳの主チャネルを示すことができる。主チャネルのスケジュールが含まれると、主チャネルは、含まれたスケジュールに対して動的で有効になる。主チャネルサブフィールドは、ビットマップを使用して表示され得る。例えば、１の値は、主チャネルの一部であるチャネルを示すことができる。別の例において、主チャネルサブフィールドは、サブフィールド（例えば、チャネル数、チャネル帯域幅）のペアを使用して実装され得る。別の例において、Ｐｒｉｍａｒｙおよび／またはＡｃｃｅｓｓ Ｃｈａｎｎｅｌ Ｉｎｄｉｃａｔｉｏｎ ＩＥがＳＳＴ要素と共に使用されると、Ｐｒｉｍａｒｙ Ｃｈａｎｎｅｌサブフィールドは、ＳＳＴ Ｃｈａｎｎｅｌ Ａｃｔｉｖｉｔｙビットマップの主チャネルの正位置を示すことができる整数として実装される。例えば、ＳＳＴ ＥｌｅｍｅｎｔのＣｈａｎｎｅｌ Ａｃｔｉｖｉｔｙビットマップが０１１１１０００であれば、Ｐｒｉｍａｒｙ Ｃｈａｎｎｅｌサブフィールドの整数値３は、有効である主チャネルがチャネル４に対応し得る、第３の正表示であることを示す。別の実装において、Ｐｒｉｍａｒｙ Ｃｈａｎｎｅｌサブフィールドの整数値（例えば、値３）は、有効である主チャネルが、表示される第３のチャネル（例えば、チャネル３に対応する）であることを示すことができる。
【００６５】
Ａｃｃｅｓｓ Ｃｈａｎｎｅｌサブフィールドは、ＢＳＳのアクセスチャネルを示すことができる。アクセスチャネルのスケジュールが含まれると、アクセスチャネルは、含まれたスケジュールに対して有効になる。アクセスチャネルサブフィールドは、ビットマップを使用して表示され得る。例えば、値１は、アクセスチャネルの一部であるチャネルを示すことができる。別の例において、アクセスチャネルサブフィールドは、サブフィールド（例えば、チャネル数、チャネル帯域幅）のペアを使用して実装され得る。別の例において、Ｐｒｉｍａｒｙ／Ａｃｃｅｓｓ Ｃｈａｎｎｅｌ Ｉｎｄｉｃａｔｉｏｎ ＩＥがＳＳＴ要素と共に使用されると、Ａｃｃｅｓｓ Ｃｈａｎｎｅｌサブフィールドは、ＳＳＴ使用可能チャネルビットマップ（SST available channel(s) bitmaps）のアクセスチャネルの正位置を示すことができる整数として実装される。例えば、ＳＳＴ Ｅｌｅｍｅｎｔの使用可能チャネルビットマップが０１１１１０００であれば、Ａｃｃｅｓｓ Ｃｈａｎｎｅｌサブフィールドの整数値３は、有効であるアクセスチャネルがチャネル４に対応し得る、第３の正表示であることを示す。別の実装において、Ａｃｃｅｓｓ Ｃｈａｎｎｅｌサブフィールドの整数値３は、有効であるアクセスチャネルがチャネル３に対応し得る、表示される第３のチャネルであることを示すことができる。
【００６６】
Ｃｈａｎｎｅｌ Ｏｐｅｒａｔｉｎｇ Ｍｏｄｅサブフィールドは、本明細書で説明されるように、例えば、動作帯域幅、帯域幅隣接性（bandwidth contiguity）、指向送信などを使用して指定され得る。Ｃｈａｎｎｅｌ Ｏｐｅｒａｔｉｎｇ Ｍｏｄｅは、１つまたは複数の特定のＣｈａｎｎｅｌ Ｏｐｅｒａｔｉｎｇ Ｍｏｄｅを参照する番号でエンコードされ得る。Ｃｈａｎｎｅｌ Ｏｐｅｒａｔｉｎｇ Ｍｏｄｅは、ビットマップとして実装され得る。例えば、正表示１は、ＳＴＡが特定のＣｈａｎｎｅｌ Ｏｐｅｒａｔｉｎｇ Ｍｏｄｅの能力があることを示すことができる。
【００６７】
スケジュールサブフィールドは、以下のスケジュールのうち１つまたは複数を含むことができる：Ｐｒｉｍａｒｙ Ｃｈａｎｎｅｌ Ｓｃｈｅｄｕｌｅ、Ａｃｃｅｓｓ Ｃｈａｎｎｅｌ  Ｓｃｈｅｄｕｌｅ、Ｇｒｏｕｐ Ｓｃｈｅｄｕｌｅ、ＳｕｂＧｒｏｕｐ Ｓｃｈｅｄｕｌｅ、Ｓｏｕｎｄｉｎｇ Ｓｃｈｅｄｕｌｅ、またはＰｒｅｆｅｒｅｎｃｅ Ｉｎｄｉｃａｔｉｏｎ Ｓｃｈｅｄｕｌｅ。
【００６８】
Ｐｒｉｍａｒｙ Ｃｈａｎｎｅｌ Ｓｃｈｅｄｕｌｅは、動的な主チャネルと関連付けることができ、そしていつ主チャネルが有効になるか、どのチャネルが（例えば、Ｓｔａｒｔ時間、期間を使用して）指定されるかを指定できる。Ｓｔａｒｔ時間は、ＴＳＦ Ｔｉｍｅｒ値でまたは他の時間単位および他の時間参照を使用して特定され得る。
【００６９】
Ａｃｃｅｓｓ Ｃｈａｎｎｅｌ  Ｓｃｈｅｄｕｌｅは、動的なアクセスチャネルと関連付けることができ、そしていつアクセスチャネルが有効になるか、どのチャネルが（例えば、Ｓｔａｒｔ時間、期間を使用して）指定されるかを指定できる。Ｓｔａｒｔ時間は、ＴＳＦ Ｔｉｍｅｒ値でまたは他の時間単位および他の時間参照を使用して特定され得る。
【００７０】
Ｇｒｏｕｐ Ｓｃｈｅｄｕｌｅは、いつＳＴＡが表示された主および／またはアクセスチャネルを使用してチャネルアクセスを行うために切り替わるか、いつＳＴＡが送信および／または受信を起動するかなどといった、ＳＡＴのグループのスケジュールを提供できる。Ｇｒｏｕｐ Ｓｃｈｅｄｕｌｅは、ＳＡＴのグループに割り当てられる間隔期間を提供できる。
【００７１】
ＳｕｂＧｒｏｕｐ Ｓｃｈｅｄｕｌｅは、いつＳＴＡが表示された主および／またはアクセスチャネルを使用してチャネルアクセスを行うために切り替わるか、またはいつＳＴＡが送信および／または受信を起動する(wake up)かなどといった、ＳＡＴのＳｕｂＧｒｏｕｐのスケジュールを提供できる。ＳｕｂＧｒｏｕｐ Ｓｃｈｅｄｕｌｅは、Ｇｒｏｕｐ Ｓｃｈｅｄｕｌｅの開始時間からのＷａｋｅｕｐ Ｏｆｆｓｅｔ、および／またはＳｕｂＧｒｏｕｐに割り当てられるＲＡＷ／ビーコンサブ間隔／ＴＸＯＰの期間を備えることができる。
【００７２】
Ｓｏｕｎｄｉｎｇ Ｓｃｈｅｄｕｌｅは、Ｇｒｏｕｐ／ＳｕｂＧｒｏｕｐのＳＴＡが、ＡＰからのサウンディングフレームのチャンネルの１つまたは複数を起動してモニタする間のスケジュールを提供できる。
【００７３】
Ｐｒｅｆｅｒｅｎｃｅ Ｉｎｄｉｃａｔｉｏｎ Ｓｃｈｅｄｕｌｅは、開始時間および期間を提供できる。Ｐｒｅｆｅｒｅｎｃｅ Ｉｎｄｉｃａｔｉｏｎ Ｓｃｈｅｄｕｌｅは、サウンディングを行った後、ＳＴＡのＧｒｏｕｐおよび／またはＳｕｂＧｒｏｕｐがチャネル選好表示をＡＰに提供することが許可される間にＲＡＷ／ＴＷＴ／スロット／ビーコンサブ間隔を提供できる。
【００７４】
ＳＴＡのＧｒｏｕｐのＧｒｏｕｐ ＩＤは、潜在的に、表示された主および／またはアクセスチャネルを使用してチャネルにアクセスできる。Ｇｒｏｕｐ ＩＤは、ＡＰと関連付けられていないＳＴＡを参照できるデフォルト値である。ＳＴＡは、その能力、チャネル動作モード、送信および受信能力、セクタ化された動作モードに従ってグループ化され得る。
【００７５】
ＳｕｂＧｒｏｕｐ ＩＤサブフィールドは、潜在的に、表示された主および／またはアクセスチャネルを使用してチャネルにアクセスできるＳＴＡのＳｕｂＧｒｏｕｐのＩＤである。ＳｕｂＧｒｏｕｐ ＩＤは、ＡＰと関連付けられていないＳＴＡを参照できるデフォルト値である。ＳＴＡは、その能力、チャネル動作モード、送信および受信能力、セクタ化された動作モードなどに従ってサブグループに分割され得る。
【００７６】
Ｃｈａｎｎｅｌ Ａｓｓｉｇｎｍｅｎｔサブフィールドは、ＡＰによってＳＴＡ、ＳＴＡのＧｒｏｕｐまたはＳｕｂＧｒｏｕｐに提供される、ビットマップ、または開始チャネルの数、またはＳＴＡ、ＳＴＡのＧｒｏｕｐまたはＳｕｂＧｒｏｕｐに割り当てられる総チャネルから成る（単位帯域幅から成ることもある）チャネルの数として実装され得る、チャネル割り当てを示すことができる。
【００７７】
Ｐａｒａｍｅｔｅｒｓサブフィールドは、ＳＴＡが送信および／またはチャネルフィードバックを提供するためのチャネルにアクセスするために使用できる、ＥＤＣＡパラメータ、競合ベース、競合しないアクセスなどといったアクセスパラメータを提供できる。
【００７８】
図７は、Ｃｈａｎｎｅｌ Ａｃｔｉｖｉｔｙ Ｓｃｈｅｄｕｌｅサブフィールドの例示的な設計を示している。ＳＳＴに含まれるＣｈａｎｎｅｌ Ａｃｔｉｖｉｔｙ Ｓｃｈｅｄｕｌｅサブフィールドは、主および／またはアクセスチャネルのロケーションを示すように変更され得る。Ｐｒｉｍａｒｙおよび／またはＡｃｃｅｓｓ Ｃｈａｎｎｅｌ Ｉｎｄｉｃａｔｉｏｎは、ビットマップとして実装され得る。値１は、主および／またはアクセスチャネルの一部であるチャネルを示すことができる。Ｐｒｉｍａｒｙおよび／またはＡｃｃｅｓｓ Ｃｈａｎｎｅｌ Ｉｎｄｉｃａｔｉｏｎは、サブフィールド（例えば、チャネル数、チャネル帯域幅）のペアを使用して実装され得る。Ｐｒｉｍａｒｙおよび／またはＡｃｃｅｓｓ Ｃｈａｎｎｅｌ Ｉｎｄｉｃａｔｉｏｎは、Ｃｈａｎｎｅｌ Ａｃｔｉｖｉｔｙビットマップの主および／またはアクセスチャネルの正位置を示すことができる整数として実装され得る。例えば、ＳＳＴ ＥｌｅｍｅｎｔのＣｈａｎｎｅｌ Ａｃｔｉｖｉｔｙビットマップが０１１１１０００であれば、Ｐｒｉｍａｒｙおよび／またはＡｃｃｅｓｓ Ｃｈａｎｎｅｌ Ｉｎｄｉｃａｔｉｏｎの整数値３は、有効である主および／またはアクセスチャネルがチャネル４に対応し得る、第３の正表示であることを示す。例えば、Ｐｒｉｍａｒｙおよび／またはＡｃｃｅｓｓ Ｃｈａｎｎｅｌ Ｉｎｄｉｃａｔｉｏｎの整数値３は、有効である主および／またはアクセスチャネルが、チャネル３に対応する表示される第３のチャネルであることを示すことができる。
【００７９】
Ｐｒｉｍａｒｙおよび／またはＡｃｃｅｓｓ Ｃｈａｎｎｅｌ Ｉｎｄｉｃａｔｉｏｎ ＩＥのサブフィールドのサブセットは、ＩＥのサブフィールドまたはサブフィールドのサブセットとして実装され得る。このようなＩＥは、例えば、ＳＳＴ Ｅｌｅｍｅｎｔ、ＳＩＧ／ＶＨＴ／ＨＥＷ／ＶＨＳＥ Ｏｐｅｒａｔｉｏｎ Ｅｌｅｍｅｎｔ、または任意のＡｃｔｉｏｎフレーム、ＡＣＫを持たないＡｃｔｉｏｎフレーム、ビーコン、短ビーコン、Ｐｒｏｂｅ Ｒｅｓｐｏｓｅ、Ａｓｓｏｃｉａｔｉｏｎ Ｒｅｓｐｏｎｓｅといった制御、管理、拡張フレーム、ＳＩＧ Ａｃｔｉｏｎフレームの一部としてまたはＭＡＣ／ＰＬＣＰヘッダ内に含むことができる。
【００８０】
Ｉｍｐｌｉｃｉｔ Ｐｒｉｍａｒｙおよび／またはＡｃｃｅｓｓ Ｃｈａｎｎｅｌ Ｉｎｄｉｃａｔｉｏｎを提供できる。主および／またはアクセスチャネルは、ＡＰによって、ビーコン、短ビーコンといったフレームか、または制御、管理または拡張フレームで暗黙的に表示され得る。このような主および／またはアクセスチャネルの暗黙的表示は、フィールド、サブフィールド、またはＳＳＴ Ｅｌｅｍｅｎｔ、ＳＩＧ Ｏｐｅｒａｔｉｏｎ要素、ＨＥＷ Ｏｐｅｒａｔｉｏｎ Ｅｌｅｍｅｎｔ、ＶＨＳＥ Ｏｐｅｒａｔｉｏｎ ＥｌｅｍｅｎｔなどといったＩＥに含まれ得る。例えば、ＳＳＴ Ｅｌｅｍｅｎｔまたはその他のタイプのＥｌｅｍｅｎｔが、一定の時間帯１つまたは複数チャネルがＳＳＴに使用されることを示すと、主および／またはアクセスチャネルは、ＳＳＴに表示される最低位または最高位（lowest or highest）チャネルとなるように暗黙的に表示される。
【００８１】
ＡＰがそのＡＰのＢＳＳの主および／またはアクセスチャネルを以前に表示したならば、および例えば、ＳＳＴ要素に一定の時間帯表示される使用可能チャネルがその主および／またはアクセスチャネルを含むならば、その主および／またはアクセスチャネルは、ＡＰによって以前に表示されたチャネルと同じままである。例えば、ＳＳＴ要素に一定の時間帯表示される使用可能チャネルが、ＡＰが以前に表示した主および／またはアクセスチャネルを含まないならば、デフォルト配置の１つまたは複数のチャネルが主チャネルまたはアクセスチャネルと見なされる。主および／またはアクセスチャネルは、表示される最高位および最下位チャネルまたはデフォルトチャネルの高位または下位部になり得る。
【００８２】
暗黙的および／または明示的なＰｒｉｍａｒｙおよび／またはＡｃｃｅｓｓ Ｃｈａｎｎｅｌ Ｉｎｄｉｃａｔｉｏｎを使用するＳＳＴを提供できる。明示的な主および／またはアクセスチャネル表示において、ＡＰは、ＳＳＴ Ｅｌｅｍｅｎｔまたは変更されたＳＳＴ Ｅｌｅｍｅｎｔと共にまたはそれらの代わりにＰｒｉｍａｒｙ／Ａｃｃｅｓｓ Ｃｈａｎｎｅｌ Ｉｎｄｉｃａｔｉｏｎ ＩＥを含むことができる。Ｐｒｉｍａｒｙ／Ａｃｃｅｓｓ Ｃｈａｎｎｅｌ Ｉｎｄｉｃａｔｉｏｎ ＩＥは、ビーコン（サブ）間隔ＲＡＷ、またはビーコンまたは短ビーコンに後続するＴＷＴとなり得る、一定の時間帯にそのＢＳＳの主および／またはアクセスチャネルのロケーションを示すために、ビーコン、短ビーコン、Ｐｒｏｂｅ Ｒｅｓｐｏｓｅ、（Ｒｅ）Ａｓｓｏｃｉａｔｉｏｎ Ｒｅｓｐｏｎｓｅあるいは他のタイプの制御、管理、または拡張フレームといったフレームで提供され得る。
【００８３】
暗黙的な主および／またはアクセスチャネル表示において、ＡＰは、ビーコンまたは短ビーコンに後続するビーコン（サブ）間隔となり得る、一定の時間帯にそのＢＳＳの主および／またはアクセスチャネルのロケーションを示すために、ＡＰのフィールドまたはサブフィールドのうち１つのロケーションまたはフィールド（例えば、ＳＳＴ要素内のＣｈａｎｎｅｌ Ａｃｔｉｖｉｔｙ Ｂｉｔｍａｐ）を使用するＰｒｉｍａｒｙおよび／またはＡｃｃｅｓｓチャネルのロケーションをビーコン、短ビーコン、あるいは他のタイプの制御、管理、または拡張フレームといったフレームで暗黙的に表示できる。
【００８４】
ＳＳＴの能力があり、そして媒体へのアクセスが許可されたＳＴＡは、例えば、そのＲＡＷ／ＴＷＴまたは他のスケジュール割り当て、またはその（サブ）グループＩＤに基づく。その情報は、ビーコンまたは短ビーコンまたはリソース割り振りフレームなどに表示され得る。このようなＳＴＡは、ＡＰから受信される情報に基づいて主および／またはアクセスチャネルのロケーションを判定できる。
【００８５】
ＳＴＡは、媒体アクセスが競合する主および／またはアクセスチャネルをモニタできる。例えば、ＳＴＡの最良のチャネルがチャネル１であり、そしてその主および／またはアクセスチャネルがチャネル２であると仮定すると、一例において、そのＳＴＡは、Ｃｈａｎｎｅｌ１と２の両方をモニタする。ＳＴＡが両方のチャネルへのアクセスを取得しているならば、そのＳＴＡは、チャネル１と２の両方に対する重複ＲＴＳ、または重複データといった重複フレームを送信する。ＡＰは、その後、チャネル１と２の両方に対する重複ＣＴＳまたはＡＣＫといった重複フレームで応答する。ＳＴＡおよびＡＰは、それらの送信が完了するまでそれらのパケット交換を継続できる。ＳＴＡおよびＡＰは、主および／またはアクセスチャネル上でＮＡＶを設定することによって媒体を予約し、その後、それらのデータパケット／ＡＣＫを、ＳＴＡにとって最良であるＣｈａｎｎｅｌ１で送信できる。ＳＴＡおよびＡＰは、主および／またはアクセスチャネルと、ＳＴＡ／ＡＰにとって最良であるチャネル、例えば、チャネル１および２との両方のチャネル上でＮＡＶを設定することによって媒体を予約し、そしてそれらのデータパケット／ＡＣＫをＣｈａｎｎｅｌ１で送信できる。
【００８６】
ＡＰと通信する媒体へのアクセスを試行する他のＳＴＡは、Ｃｈａｎｎｅｌ２をモニタでき、そしてそのＳＴＡが媒体を予約するあるいは主および／またはアクセスチャネルへのアクセスを取得することが可能な時に送信できる。１つまたは複数のＳＴＡは、そのＳＴＡが媒体を予約するあるいは主および／またはアクセスチャネルおよびそのＳＴＡの最良のチャネル、例えば、そのＳＴＡの送信の主要なバルクに使用するつもりであるチャネルへのアクセスを例えば、ＡＰとの成功したＲＴＳ／ＣＴＳ交換によって取得することが可能な時に送信できる。
【００８７】
ＡＰ Ｄｒｉｖｅｎ Ｆｒｅｑｕｅｎｃｙ Ｓｅｌｅｃｔｉｖｅ Ｔｒａｎｓｍｉｓｓｉｏｎｓを提供できる。ＳＳＴは、ＡＰ駆動にできる。ＡＰは、ＤＬ送信の間隔を指定できる。ＳＴＡは、主および／またはアクセスチャネルおよび／またはＣｈａｎｎｅｌ Ａｃｔｉｖｉｔｙビットマップによって受信パケットに表示される全ての使用可能チャネルをモニタできる。
【００８８】
ＡＰは、ＳＴＡのチャネルフィードバックの間隔を指定できる。１つのＳＴＡは、その間隔で各スロットに割り当てられ得る。ＳＴＡのそれぞれは、そのＳＴＡのフィードバックを表示されるそのＳＴＡの最良のチャネルまたは主および／またはアクセスチャネルに提供できる。ＡＰは、ＳＴＡがＡＰとのＵＬおよびＤＬ送信を行うことができるように、ＳＴＡのスケジュールおよびチャネル割り当てを提供するためにビーコン、短ビーコン、リソース割り振りフレームなどを介してスケジュールを提供できる。
【００８９】
特定の組み合わせにおいて特徴および要素を上述しているが、各特徴または要素は、単独で、または他の特徴および要素との任意の組み合わせにおいて使用されてよいことが当業者には認識されよう。本明細書で説明した８０２．１１プロトコル以外にも、本明細書で説明した特徴および要素は、他のワイヤレスシステムに適用可能にできる。本明細書で説明した特徴および要素は、アップリンク動作に関する説明であったが、その方法および手順は、ダウンリンク動作にも適用され得る。ＳＩＦＳは、本明細書ではさまざまなフレーム間間隔を示すために使用されたが、他のフレーム間間隔、例えば、ＲＩＦＳまたは他の承認された時間間隔も提供され得る。さらに、本明細書で説明した方法は、コンピュータまたはプロセッサによって実行するためのコンピュータ可読媒体に組み込まれるコンピュータプログラム、ソフトウェア、またはファームウェアに実装され得る。コンピュータ可読媒体の例は、（ワイヤードまたはワイヤレス接続を介して送信される）電子信号およびコンピュータ可読記憶媒体を含む。コンピュータ可読記憶媒体の例は、限定されるわけではないが、リードオンリーメモリ（ＲＯＭ）、ランダムアクセスメモリ（ＲＡＭ）、レジスタ、キャッシュメモリ、半導体メモリデバイス、内部ハードディスクおよびリムーバブルディスクなど、磁気媒体、光磁気媒体、ＣＤ−ＲＯＭディスクなど、光媒体。およびデジタル多用途ディスク（ＤＶＤ）を含む。ソフトウェアと関連するプロセッサを使用して、ＷＴＲＵ、ＷＴＲＵ、端末機、基地局、ＲＮＣ、または任意のホストコンピュータで使用するための無線周波数トランシーバを実装できる。
【図１Ａ】
0006449864.tif 000002
【図１Ｂ】
0006449864.tif 000003
【図１Ｃ】
0006449864.tif 000004
【図２】
0006449864.tif 000005
【図３】
0006449864.tif 000006
【図４】
0006449864.tif 000007
【図５】
0006449864.tif 000008
【図６】
0006449864.tif 000009
【図７】
0006449864.tif 000010